(57)【要約】本発明は、より多くの着用者がバストに対する十分なフィット感を得られるような、フィット性に優れたブラジャーを提供する。ブラジャーは、着用者のバストを覆うカップ部を備えている。カップ部は、カップ部の内部に設けられた内カップを備えている。内カップは、上辺部を有する。上辺部は、波型形状の構造を有している。
2019163201.tif 000002
【特許請求の範囲】
【請求項１】
着用者のバストを覆うカップ部（１０）を備えた衣類（１）であって、
前記カップ部（１０）は、前記カップ部（１０）の内部に設けられた内カップ（５２）を備え、
前記内カップ（５２）は、上辺部（７０）を有し、
前記上辺部（７０）は、波型形状の構造を有する
衣類（１）。
【請求項２】
前記波型形状の構造は、
前記上辺部（７０）に沿った方向に伸張性のある構造である
請求項１に記載の衣類（１）。
【請求項３】
前記内カップ（５２）は、
左右の内カップ部（６０、６１）と、当該左右の内カップ部（６０、６１）同士を連結する連結部（６２）とを有し、
前記波型形状の構造は、
前記左右の内カップ部（６０、６１）と前記連結部（６２）の上辺部（７０）にわたり連続的に設けられている
請求項１又は２に記載の衣類（１）。
【請求項４】
前記内カップ（５２）は、
着用者のバストトップに対応するカップ頂点（Ｃ）周りに設けられ、前記カップ頂点（Ｃ）を中心とする円周方向に長い複数の長孔（１１０）を有する
請求項１〜３のいずれか一項に記載の衣類（１）。
【請求項５】
前記複数の長孔（１１０）は、
前記カップ頂点（Ｃ）を中心とする同心円状又は螺旋状に設けられている
請求項４に記載の衣類（１）。
【請求項６】
前記複数の長孔（１１０）は、
前記カップ頂点（Ｃ）から離れるにつれて円周方向に長い寸法を有する
請求項５に記載の衣類（１）。
【請求項７】
前記内カップ（５２）の上辺部（７０）は、
前記長孔（１１０）が設けられていない領域（Ｒ２）を有する
請求項４〜６のいずれか一項に記載の衣類（１）。
【請求項８】
前記内カップ（５２）は、
前記長孔（１１０）が設けられている第１の領域（Ｒ１）と、
前記第１の領域（Ｒ１）に隣接し、前記上辺部（７０）の長孔（１１０）が設けられていない第２の領域（Ｒ２）とを有し、
前記第１の領域（Ｒ１）と前記第２の領域（Ｒ２）は、波型形状の境界線（Ｅ）を有し、
前記境界線（Ｅ）と前記上辺部（７０）との波型形状の凹凸は互いに対応している
請求項７に記載の衣類（１）。
【請求項９】
前記内カップ（５２）は、
前記上辺部（７０）の第２の領域（Ｒ２）に対し前記第１の領域（Ｒ１）を挟んだ反対側の前記第１の領域（Ｒ１）の外周に前記長孔（１１０）が設けられていない第３の領域（Ｒ３）を有する
請求項８に記載の衣類（１）。
【請求項１０】
前記内カップ（５２）は、
前記カップ頂点（Ｃ）の周囲に前記長孔（１１０）が設けられていない領域（Ｒ４）を有する
請求項４〜９のいずれか一項に記載の衣類（１）。
【請求項１１】
前記内カップ（５２）は、
着用者のバストの下部を覆って支持するバスト支持部（６３）をさらに有し
前記バスト支持部（６３）には、前記長孔（１１０）が設けられていない
請求項４〜１０のいずれか一項に記載の衣類（１）。
【請求項１２】
前記内カップ（５２）の表面には、
前記長孔（１１０）を覆うメッシュ層（５６）が設けられている
請求項４〜１１のいずれか一項に記載の衣類（１）。
【請求項１３】
前記カップ部（１０）は、
前記内カップ（５２）の表面側と裏面側にそれぞれクッション層（５１、５３）を有する
請求項１〜１２のいずれか一項に記載の衣類（１）。
【請求項１４】
請求項１〜１３のいずれ一項に記載の衣類（１）はブラジャーである。
【発明の詳細な説明】
【技術分野】
【０００１】
本発明は、衣類及びブラジャーに関する。
【背景技術】
【０００２】
カップ部のある衣類、例えば女性用下着であるブラジャーは、着用者のバストに対する保持力を高めるため、カップ部の内部に内カップ（モールドカップ）を備えたものがある（特許文献１参照）。
【先行技術文献】
【特許文献】
【０００３】
【特許文献１】特開２０１４−１１１８５４号公報
【発明の概要】
【発明が解決しようとする課題】
【０００４】
しかしながら、上述のようなブラジャーのカップ部は通常伸張性や変形性が低い。このため、上述のようなブラジャーは、着用者の個々のバストの大きさ、形、位置などに対する柔軟性、追従性が低く、着用者によってはバストに対する十分なフィット感が得られない場合がある。【０００５】
本発明はかかる点に鑑みてなされたものであり、より多くの着用者に対して十分なフィット感が得られるフィット性に優れたブラジャーなどの衣類を提供することを目的とする。
【課題を解決するための手段】
【０００６】
本発明の一態様に係る衣類は、着用者のバストを覆うカップ部（１０）を備えた衣類（１）であって、カップ部（１０）は、カップ部（１０）の内部に設けられた内カップ（５２）を備え、内カップ（５２）は、上辺部（７０）を有し、上辺部（７０）は、波型形状の構造を有する。
【発明の効果】
【０００７】
本発明によれば、より多くの着用者に対して十分なフィット感が得られるフィット性に優れたブラジャーなどの衣類を提供することができる。
【図面の簡単な説明】
【０００８】
【図１】ブラジャーの構成の一例を示す説明図である。
【図２】カップ部の各層を分解した説明図である。
【図３】カップ部の縦断面の一例を示す説明図である。
【図４】内カップの正面図である。
【図５】内カップの拡大図である。
【図６】ブラジャーの装着時の内カップの状態の一例を示す説明図である。
【図７】ブラジャーの装着時の内カップの状態の一例を示す説明図である。
【発明を実施するための形態】
【０００９】
以下、図面を参照して、本発明の好ましい実施の形態について説明する。なお、同一の要素には同一の符号を付し、重複する説明を省略する。さらに、図面の寸法比率は、図示の比率に限定されるものではない。また、以下の実施の形態は、本発明を説明するための例示であり、本発明はこの実施の形態に限定されるものではない。
【００１０】
＜ブラジャーの全体構成＞
図１は、本実施の形態にかかる衣類としてのブラジャー１の構成の一例を示す説明図である。ブラジャー１は、例えば、着用者のバストを覆うカップ部１０と、カップ部１０の左右方向の外側に延設され、着用者のバストの脇側と背中側を覆うバック部１１、１２と、バック部１１、１２の外側端部に設けられ、バック部１１、１２同士を係止する係止部１３と、カップ部１０から着用者の肩を通ってバック部１１、１２に接続されるストラップ部１４、１５とを備えている。なお、図１は、ブラジャー１を、バック部１１、１２を左右に開いた状態で正面視したものである。本明細書において「上」、「下」、「左」、「右」は、この図１の状態で正面視したときの方向を示す。「前方」は、図１の紙面手前方向であり、「後方」は図１の紙面奥方向である。
【００１１】
カップ部１０は、正面から見て左右対称で、上下方向の幅が左右の端から中央に向けて広がり、その後中央に向けて次第に狭まる形状を有している。例えばカップ部１０は、左右のカップ部分２０、２１と、左右のカップ部分２０、２１同士を接続する接続部分２２を有している。各カップ部分２０、２１は、着用者のバストの形状に対応して前方に立体的に突出した椀型形状を有している。カップ部分２０、２１は、正面から見て中央の接続部分２２から左右方向の外側に向けて次第に上昇する上縁３０、３１を有している。上縁３０、３１は、正面から見て上に凸に滑らかに湾曲している。また、カップ部分２０、２１は、正面から見て中央の接続部分２２から左右方向の外側に向けて下に凸に湾曲する下縁３２、３３を有している。
【００１２】
＜カップ部の全体構成＞
カップ部１０は、図２及び３に示すように前後方向に向けて積層された複数層からなる積層構造を有している。カップ部１０は、例えば裏面（後面）から前面に向けて、裏地５０と、クッション層５１と、内カップ５２と、クッション層５３と、表地５４をこの順で備えている。
【００１３】
裏地５０と表地５４は、特に限定されるものではないが、例えばナイロン繊維などの生地で構成されている。クッション層５１、５３は、例えばウレタンフォームなどの発泡材で構成されている。クッション層５１、５３は、例えば２ｍｍ〜２．５ｍｍ程度の厚みを有している。クッション層５１、５３は、裏地５０、表地５４及び内カップ５２よりも伸縮性、柔軟性が高い。図２に示すように裏地５０、クッション層５１、５３及び表地５４は、カップ部１０の上縁３０、３１と同様に、中央側から左右方向の外側に向けて次第に上昇する上縁５０ａ、５１ａ、５３ａ、５４ａを有している。
【００１４】
内カップ５２は、例えばナイロンポリウレタンなどのウレタンフォームである。内カップ５２は、射出成型により成形されている。内カップ５２は、例えばクッション層５１、５３よりも固く、カップ部１０の立体形状を保持する機能を有している。内カップ５２は、例えば０．５ｍｍ〜４．５ｍｍ程度の厚みを有している。なお、内カップ５２の材質は、ウレタンフォームに限られず、不織布、ニット材料又は編み物などであってもよい。内カップ５２の下部の内部には、樹脂ワイヤー５５が設けられている。内カップ５２の構成の詳細は後述する。
【００１５】
内カップ５２の表面側には、メッシュ層５６が設けられている。メッシュ層５６は、内カップ５２の形状保持をサポートするものであり生地から構成されている。メッシュ層５６は、内カップ５２の表面の全体、或いは一部に接着されている。メッシュ層５６は、内カップ５２よりも伸縮性、柔軟性が高い。
【００１６】
カップ部１０は、例えば上述のクッション層５１、内カップ５２、メッシュ層５６及びクッション層５３が熱圧着等により一体化され、それが裏地５０及び表地５４と縫合されて構成されている。
【００１７】
＜内カップの構成＞
内カップ５２は、例えば図４及び図５に示すように着用者のバストを覆う左右対称の内カップ部６０、６１と、内カップ部６０、６１を連結する連結部６２と、着用者のバストの下部を支持するバスト支持部６３を有している。
【００１８】
各内カップ部６０、６１は、全体が前方に突出した椀形状を有している。各内カップ部６０、６１は、正面から見て連結部６２から左右の外側に向けて次第に上昇する上辺部７０を有している。上辺部７０は、例えば波型形状を有し、上辺に沿った方向（上辺方向）Ａ（図４及び図５の矢印方向）に伸張性を有する構造を備えている。すなわち、上辺部７０は、上辺方向Ａに伸びやすい。また、上辺部７０は、上に凸に突出する波部８０、８１が細くなっているため、前後方向に変形しやすい。
【００１９】
上辺部７０は、例えば上辺方向Ａの中央付近に複数、例えば相対的に大きな２つの第１の波部８０を有し、その両側に相対的に小さな例えば１つの第２の波部８１を有している。第１の波部８０の波の高さＨ（図５に示す）は、例えば１０ｍｍ以上、好ましくは１０ｍｍ以上〜１４ｍｍ以下である。
【００２０】
図４に示すように連結部６２は、内カップ部６０、６１の間に配置され、内カップ５２で上下幅が最も狭い。連結部６２は、上辺部７０に連続する波型形状の上辺部９０を有している。
【００２１】
上辺部９０は、例えば下に凸に凹む形状の波部１００を有している。波部１００は、左右の内カップ部６０、６１の上に凸に突出する第２の波部８１と滑らかに連続している。これにより、内カップ５２は、内カップ部６０、６１の上辺部７０及び連結部６２の上辺部９０にわたる連続的な波型形状を有している。内カップ５２の波型形状は、正面から見て左右対称となる。連結部６２は、滑らかに上に凸に凹む下辺部９１を有している。
【００２２】
図１及び図２に示したようにカップ部１０の上縁３０、３１は、左右方向の中央に向けて滑らかに下降し、上に凸の湾曲形状を有している。図２に示したようにカップ部１０を構成する裏地５０、クッション層５１、５３及び表地５４は、カップ部１０の上縁３０、３１と同様の上縁５０ａ、５１ａ、５３ａ、５４ａを有している。一方、内カップ５２は、波型形状の上辺部７０を有している。図１に示すようにカップ部１０の上縁３０、３１は、およそ内カップ５２の第１の波部８０の頂点を繋ぐような位置を通っており、波部８０の左右の凹み部分は、カップ部１０の上縁３０、３１に対し後退した切り欠き部（空間部）１０５となっている。その切り欠き部１０５には、例えば図３に示すように表裏のクッション層５１、５３が入り込み、クッション層５１、５３同士が直接接着されている。
【００２３】
図４に示すように樹脂ワイヤー５５は、各内カップ部６０、６１の下縁に沿って下に凸に湾曲するように配置されている。
【００２４】
内カップ部６０、６１は、着用者のバストトップに対応するカップ頂点Ｃ周りに設けられた複数の長孔１１０を有している。長孔１１０は、カップ頂点Ｃを中心とする円周方向に長くなるように配置されている。複数の長孔１１０は、例えば螺旋状或いは同心円状に配置されている。複数の長孔１１０は、カップ頂点Ｃを円心とした場合の径方向に複数重、例えば３重〜１０重にわたり設けられている。この複数の長孔１１０により、内カップ部６０、６１は、前方方向への立体的な伸張性を備える。
【００２５】
図５に示すように複数の長孔１１０は、カップ頂点Ｃから離れるにつれて円周方向に長い寸法を有している。例えば長孔１１０の円周方向（長手方向）の寸法は、カップ頂点Ｃから離れるにつれて段階的に長くなっている。例えば複数の長孔１１０が、径方向に５重に設けられている場合、最もカップ頂点Ｃに近い１重目の長孔１１０ａの円周方向の長さが、２重目の長孔１１０ｂ及び３重目の長孔１１０ｃの円周方向の長さよりも短く、２重目の長孔１１０ｂ及び３重目の長孔１１０ｃの円周方向の長さが、４重目の長孔１１０ｄ及び５重目の長孔１１０ｅの円周方向の長さよりも短い。また複数の長孔１１０は、径方向に隣り合うものが円周方向に互いにずれるように設けられている。
【００２６】
各内カップ部６０、６１は、例えば上述の長孔１１０が設けられている第１の領域Ｒ１と、長孔１１０が設けられていない第２の領域Ｒ２、第３の領域Ｒ３及び第４の領域Ｒ４を有している。
【００２７】
第２の領域Ｒ２は、例えば内カップ５２の上辺部７０のある領域であり、上下に幅のある波型形状の領域である。
【００２８】
第１の領域Ｒ１と第２の領域Ｒ２は、波形形状の境界線（仮想線）Ｅを有している。境界線Ｅと第２の領域Ｒ２の上辺部７０との波型形状の凹凸は互いに対応している。つまり、境界線Ｅの凸部と上辺部７０の凸部の位置が対応し、境界線Ｅの凹部と上辺部７０の凹部の位置が対応している。
【００２９】
第３の領域Ｒ３は、内カップ部６０、６１の上辺部７０に対し第１の領域Ｒ１を挟んだ反対側に位置する。第３の領域Ｒ３は、例えば第１の領域Ｒ１の外周の円弧状の領域である。
【００３０】
第４の領域Ｒ４は、カップ頂点Ｃを含むカップ頂点Ｃの周囲の円形状の領域である。
【００３１】
内カップ部６０、６１の第３の領域Ｒ３には、例えば円形の通気孔１２０がさらに設けられている。
【００３２】
図４に示すように連結部６２及びバスト支持部６３には、長孔１１０が設けられていない。バスト支持部６３には、円形の通気孔１２０が設けられている。バスト支持部６３の通気孔１２０は、内カップ部６０、６１の通気孔１２０よりも小さい径を有している。
【００３３】
内カップ５２に設けられた長孔１１０及び通気孔１２０は、メッシュ層５６により覆われている。
【００３４】
＜ブラジャーの作用＞
以上のように構成されたブラジャー１の作用について説明する。まず、ブラジャー１は、カップ部１０の内部に内カップ５２を有し、その内カップ５２の内カップ部６０、６１が、波型形状の上辺部７０を有し、上辺部７０が上辺方向Ａへの伸張性を有している。さらに上辺部７０は、前後方向Ｆへの変形性を有している。内カップ部６０、６１は、カップ頂点Ｃ周りに円周方向に長い複数の長孔１１０を有し、それにより前方方向に立体的に伸張する。
【００３５】
着用者がブラジャー１を着用した際には、バストの大きさ、形、位置等に応じて、内カップ部６０、６１の上辺部７０が上辺方向Ａに伸張し、前後方向Ｆに変形するとともに、内カップ部６０、６１が前方方向に立体的に伸張する。例えば図６に示すように着用者のバストが相対的に大きい場合には、上辺部７０の波型形状が上辺方向Ａに相対的に大きく伸張し、また内カップ部６０、６１が前方方向に立体的に相対的に大きく伸張する。また、例えば図７に示すように着用者のバストが相対的に小さい場合には、上辺部７０の波型形状が上辺方向Ａに相対的に小さく伸張し、また内カップ部６０、６１が前方方向に立体的に相対的に小さく伸張する。また、図６及び図７において、上辺部７０は、バストの表面の形状に沿って前後方向Ｆに変形する。このように、ブラジャー１の内カップ５２が、着用者のバストの大きさや形に応じて変形し着用者のバストにフィットする。
【００３６】
本実施の形態によれば、内カップ５２の上辺部７０が波型形状の構造を有するので、内カップ５２の上辺部７０が着用者のバストの大きさや形に追従して伸張し、変形する。この結果、より多くの着用者がバストに対する十分なフィット感を得ることができ、フィット性に優れたブラジャー１を実現できる。また、波型形状の構造の上辺部７０は、伸張した際に締め付ける力が強くなりすぎないので、着用者のバストの形状を崩さないようにバストにフィットすることができる。さらに、波型形状の構造の上辺部７０は、着用者のバストを所定の形にしっかり保持することができるので、バストの形を補正することもできる。よって、ブラジャヤー１は、着用者のバストにフィットしつつ、バストの形を美しく整えることができる。
【００３７】
上辺部７０の波型形状の構造は、上辺部７０に沿った方向に伸張性のある構造であるので、上辺部７０が着用者のバストの大きさや形に、より追従しやすくなる。
【００３８】
内カップ５２の波型形状の構造は、左右の内カップ部６０、６１の上辺部７０と連結部６２の上辺部９０にわたり連続的に設けられているので、内カップ５２全体の上辺方向Ａの伸張性を向上することができる。
【００３９】
内カップ５２は、着用者のバストトップに対応するカップ頂点Ｃを中心とする円周方向に長い複数の長孔１１０を有しているので、着用者に対して前方方向（バストの膨らみ方向）への内カップ５２の伸張性が向上する。この結果、内カップ５２の上辺方向Ａの伸張性と前方方向への伸張性が向上するので、ブラジャー１が着用者のバストの立体的な形状に追従して、ブラジャー１のバストに対するフィット性をさらに向上することができる。
【００４０】
複数の長孔１１０は、カップ頂点Ｃを中心とする同心円状又は螺旋状に設けられているので、内カップ５２が前方方向に伸張しやすくなり、ブラジャー１のバストに対するフィット性をさらに向上することができる。
【００４１】
複数の長孔１１０は、カップ頂点Ｃから離れるにつれて円周方向に長い寸法を有している。かかる場合、カップ頂点Ｃから離れた位置においても、内カップ５２の前方方向への伸張性を十分に確保することができるので、ブラジャー１のバストに対するフィット性をさらに向上することができる。なお、「カップ頂点Ｃから離れるにつれて円周方向に長い」とは、カップ頂点Ｃから離れるにつれて段階的に長くなる場合のみならず、カップ頂点Ｃから離れるにつれて徐々に長くなる場合も含む。
【００４２】
内カップ５２の上辺部７０は、長孔１１０が設けられていない領域（第２の領域Ｒ２）を有しているので、内カップ５２の形の崩れを防止することができる。
【００４３】
内カップ５２は、長孔１１０が設けられている第１の領域Ｒ１と、第１の領域Ｒ１に隣接し、長孔１１０が設けられていない上辺部７０の第２の領域Ｒ２とを有し、第１の領域Ｒ１と第２の領域Ｒ２は、波形形状の境界線Ｅを有し、境界線Ｅと上辺部７０との波型形状の凹凸は互いに対応している。このため、上辺部７０の長孔１１０が設けられていない第２の領域Ｒ２の幅が、上辺部７０に沿って確保されるので、上辺部７０の上辺方向Ａへの伸張を上辺部７０の全体にわたり十分に確保することができる。この結果、上辺部７０が十分に伸張し、着用者のバストにフィットしつつ、着用者のバストの形を美しく整えることができる。
【００４４】
内カップ５２は、上辺部７０の第２の領域Ｒ２に対し第１の領域Ｒ１を挟んだ反対側の第１の領域Ｒ１の外周に長孔１１０が設けられていない第３の領域Ｒ３を有している。この場合、伸張性のある第１の領域Ｒ１の直下に、相対的に伸張性の低い第３の領域Ｒ３を設けることができるので、着用者のバストの下部をしっかり保持することができる。
【００４５】
内カップ５２は、カップ頂点Ｃの周囲に長孔１１０が設けられてない領域（第４の領域Ｒ４）を有しているので、着用者のバストトップの前方方向への突出を意図的に抑えたいとする着用者のニーズに対応することができる。
【００４６】
内カップ５２は、着用者のバストの下部を覆って支持するバスト支持部６３を有し、バスト支持部６３には、長孔１１０が設けられていないので、着用者のバストを下から支持して十分に保形することができる。
【００４７】
内カップ５２の表面には長孔１１０を覆うメッシュ層５６が設けられているので、内カップ５２の形状保持をサポートすることができる。
【００４８】
カップ部１０は、内カップ５２の表面（表地５４）側と裏面（裏地５０）側にそれぞれクッション層５１、５３を有するので、例えばカップ部１０の表裏面を平坦化したり、カップ部１０の肌感触をよくしたり、カップ部１０の各部材を保護することができる。
【００４９】
以上の実施の形態におけるブラジャー１は、内カップ５２が、波型形状の上辺部７０と、長孔１１０を有するものであったが、本発明は、長孔１１０がないものであってもよい。また参考例の態様によれば、内カップ５２が波型形状の上辺部７０を備えず、長孔１１０を備えるものであってもよい。かかる場合においても、内カップ５２のカップ頂点Ｃ周りに、周方向に長い複数の長孔１１０を有するので、着用者に対して前方方向（バストの膨らみ方向）への内カップ５２の伸張性が向上する。この結果、より多くの着用者がバストに対する十分なフィット感を得ることができ、フィット性に優れたブラジャー１を実現できる。
【００５０】
内カップ５２の上辺部７０の形状や波の数も上記実施の形態のものに限られない。また、内カップ５２の上辺部７０は、波型形状の構造を有するものであれば、他の形状を有するものであってもよい。なお、波型形状には、滑らかな凹凸を有するもののみならず、三角形状の凹凸が繰り返えされるものや方形状の凹凸が繰り返されるものなどの他のジグザグ状のものが含まれる。
【００５１】
長孔１１０の形状や数、配置も上記実施の形態のものに限られない。例えば長孔１１０は、周方向に沿って一定幅の孔であったが、周方向に沿って幅が異なる部分のある孔であってもよい。カップ部１０の形状や構造、内カップ５２の形状や構造も上記実施の形態のものに限られない。ブラジャー１の形状、構造も上記実施の形態のものに限られない。
【００５２】
例えば以上の実施の形態ではブラジャー１がストラップ部１４、１５を備えたものであったが、ストラップ部１４、１５は取り外し自在なものであってもよいし、またブラジャー１が元々ストラップ部１４、１５を備えないものであってもよい。以上の実施の形態では、衣類がブラジャーであったが、本発明は、カップ部を備えるものであれば、カップ部付きの他の下着等の衣類にも適用できる。
【産業上の利用可能性】
【００５３】
本発明は、より多くの着用者がバストに対する十分なフィット感を得られるような、フィット性に優れたブラジャーなどの衣類を提供する際に有用である。
【符号の説明】
【００５４】
１  ブラジャー
１０  カップ部
５０  裏地
５２  内カップ
５４  表地
６０、６１  内カップ部
７０  上辺部
１１０  長孔
【図１】
2019163201.tif 000003
【図２】
2019163201.tif 000004
【図３】
2019163201.tif 000005
【図４】
2019163201.tif 000006
【図５】
2019163201.tif 000007
【図６】
2019163201.tif 000008
【図７】
2019163201.tif 000009
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
着用者のバストを覆うカップ部（１０）を備えた衣類（１）であって、
前記カップ部（１０）は、前記カップ部（１０）の内部に設けられた内カップ（５２）を備え、
前記内カップ（５２）は、上辺部（７０）と、左右の内カップ部（６０、６１）と、前記左右の内カップ部（６０、６１）同士を連結する連結部（６２）とを有し、
前記上辺部（７０）は、波型形状の構造を有し、
前記波型形状の構造は、前記上辺部（７０）に沿った方向に伸張性のある構造であり、前記左右の内カップ部（６０、６１）及び前記連結部（６２）の上辺部（７０）にわたり連続的に設けられている
ことを特徴とする衣類（１）。
【請求項２】
前記内カップ（５２）は、
着用者のバストトップに対応するカップ頂点（Ｃ）周りに設けられ、前記カップ頂点（Ｃ）を中心とする円周方向に長い複数の長孔（１１０）を有する
請求項１に記載の衣類（１）。
【請求項３】
前記内カップ（５２）は、
着用者のバストトップに対応するカップ頂点（Ｃ）周りに設けられ、前記カップ頂点（Ｃ）を中心とする円周方向に長い複数の長孔（１１０）を有する
請求項１又は２に記載の衣類（１）。
【請求項４】
前記複数の長孔（１１０）は、
前記カップ頂点（Ｃ）から離れるにつれて円周方向に長い寸法を有する
請求項３に記載の衣類（１）。
【請求項５】
前記内カップ（５２）の上辺部（７０）は、
前記長孔（１１０）が設けられていない領域（Ｒ２）を有する
請求項２〜４のいずれか一項に記載の衣類（１）。
【請求項６】
前記内カップ（５２）は、
前記長孔（１１０）が設けられている第１の領域（Ｒ１）と、
前記第１の領域（Ｒ１）に隣接し、前記上辺部（７０）の長孔（１１０）が設けられていない第２の領域（Ｒ２）とを有し、
前記第１の領域（Ｒ１）と前記第２の領域（Ｒ２）は、波型形状の境界線（Ｅ）を有し、
前記境界線（Ｅ）と前記上辺部（７０）との波型形状の凹凸は互いに対応している
請求項５に記載の衣類（１）。
【請求項７】
前記内カップ（５２）は、
前記上辺部（７０）の第２の領域（Ｒ２）に対し前記第１の領域（Ｒ１）を挟んだ反対側の前記第１の領域（Ｒ１）の外周に前記長孔（１１０）が設けられていない第３の領域（Ｒ３）を有する
請求項６に記載の衣類（１）。
【請求項８】
前記内カップ（５２）は、
前記カップ頂点（Ｃ）の周囲に前記長孔（１１０）が設けられていない領域（Ｒ４）を有する
請求項２〜７のいずれか一項に記載の衣類（１）。
【請求項９】
前記内カップ（５２）は、
着用者のバストの下部を覆って支持するバスト支持部（６３）をさらに有し
前記バスト支持部（６３）には、前記長孔（１１０）が設けられていない
請求項２〜８のいずれか一項に記載の衣類（１）。
【請求項１０】
前記内カップ（５２）の表面には、
前記長孔（１１０）を覆うメッシュ層（５６）が設けられている
請求項２〜９のいずれか一項に記載の衣類（１）。
【請求項１１】
前記カップ部（１０）は、
前記内カップ（５２）の表面側と裏面側にそれぞれクッション層（５１、５３）を有する
請求項１〜１０のいずれか一項に記載の衣類（１）。
【請求項１２】
前記衣類は、ブラジャーである
請求項１〜１１のいずれか一項に記載の衣類（１）。
【国際調査報告】
2019163201.tif 000010
2019163201.tif 000011
2019163201.tif 000012
2019163201.tif 000013